(57)【要約】【課題】ＣＤ収納容器が簡単な構造であり、しかも薄い包装容器であって少なくとも二枚のＣＤを収納することができ、クッション性を有し往復郵便での貸し借りや交換等が可能なコンパクトディスク収納用包装容器を提供する。【解決手段】二枚の表側シートと裏側シートと、二枚の表側シートのうち内側の表側シート１ｂと裏側シート２ａとの間に不織布３を配置する。内側の表側シート１ｂと、裏側シート２ａの間の上部の所定の位置にファスナＦを取り付ける。  裏側シート２ａは、表側シート１ａおよび表側シート１ｂよりも長く製作され且つ上部近傍には接着剤６が塗布されて剥離シート７が載せてある。また、両端部は、前記二枚の表側シート（１ｑ  、１ｂ）と裏側シート２ａと不織布３とが製作時の溶断により一体に密着固定されると共に下端部は、これら二枚の表側シートと裏側シートとが一体にシールされて成る。【選択図】図３
2010269825.tif 000002
【特許請求の範囲】
【請求項１】
二枚の表側シートと裏側シートと、
前記二枚の表側シートのうち内側の表側シートと裏側シートとの間に配置される薄い柔軟材と、
前記内側の表側シートと、裏側シートの間の上部の所定の位置に取り付けたファスナと、より成り、
裏側シートは、表側シートおよび表側シートよりも長く製作され且つ上部近傍には接着剤が塗布されて剥離シートが載せてあり、
両端部は、前記二枚の表側シートと裏側シートと不織布とが製作時の溶断により一体に密着固定され、下端部は、これら二枚の表側シートと裏側シートとが一体にシールして成ることを特徴とするコンパクトディスク収納用包装容器。
【請求項２】
二枚の表側シートと裏側シートと、
前記二枚の表側シートのうち内側の表側シートと裏側シートとの間に配置される薄い柔軟材と、
前記内側の表側シートと、裏側シートとの間の上部の所定の位置に取り付けたファスナと、より成り、
前記外側の表側シートには窓を形成し、裏側シートは表側シートおよび表側シートよりも長く製作され且つ上部近傍には接着剤が塗布されて剥離シートが載せてあり、
両端部は、前記二枚の表側シートと裏側シートと不織布とが製作時の溶断により一体に密着固定され、下端部は、これら二枚の表側シートと裏側シートとが一体にシールして成ることを特徴とするコンパクトディスク収納用包装容器。
【請求項３】
二枚の裏側シートと表側シートと、
前記二枚の裏側シートのうち、内側の裏側シートと表側シートとの間に配置される薄い柔軟材と、
より成り前記外側の裏側シートと内側の裏側シートとを上下で折り返すとともに前記内側の表側シートと内側の裏側シートｂの間の上部の所定の位置にファスナＦを取り付け、
前記外側の裏側シートは内側の裏側シートおよび表側シートよりも長く製作され且つ下部近傍には接着剤が塗布されて剥離シートが載せてあり、
両端部は、前記二枚の裏側シートと表側シートと不織布とが製作時の溶断により一体に密着固定され、これら二枚の裏側シートと表側シートとの上端部は一体にシールして成ることを特徴とするコンパクトディスク収納用包装容器。
【請求項４】
内側の表側シートと裏側シートとの上部にバインダ用孔を穿設してなることを特徴とする請求項１乃至３のいずれかに記載のコンパクトディスク収納用包装容器。
【請求項５】
二枚の表側シートと裏側シートと、
前記内側の表側シートと裏側シートとの間に配置される薄い柔軟材と、
前記内側の表側シートと、裏側シートの間の上部の所定の位置に取り付けたファスナと、より成り、
裏側シートは二枚の表側シートおよび表側シートよりも長く製作され且つ上部近傍には接着剤が塗布されて剥離シートが載せてあり、
両端部は、前記二枚の表側シートと裏側シートと不織布とが製作時の溶断により一体に密着固定され、下端部は、これら二枚の表側シートと裏側シートとが一体にシールされ、
開口部から９０度横であって、表側シートと裏側シートと不織布の端部から所定の位置（残りの幅にＣＤの直径が入る程度）を熱溶着シールして、成ることを特徴とするコンパクトディスク収納用包装容器。
【請求項６】
前記横から所定の位置にバインダ用孔を穿設して成ることを特徴とする請求項４に記載のコンパクトディスク収納用包装容器。
【発明の詳細な説明】
【技術分野】
【０００１】
本発明は、コンパクトディスク（以下、ＣＤとする）を収納してそのまま販売したり、保管したり或いは貸し出したりすることが可能で、特に販売やリースする際往復郵便を利用することのできるＣＤ収納用包装容器（ＣＤ収納用包装袋体）に関する。
【背景技術】
【０００２】
従来、ＣＤを販売したり、購入したＣＤを保管する場合、図２０に示すようなＣＤ収納ケース２１が利用される。即ち、この収納ケース２１は、硬質の合成樹脂製例えばポリカーボネート樹脂製の矩形でＣＤ収容空間２２を形成したＣＤ収容部本体２３に蓋２４をするようにしたもので、更にＣＤを収容し蓋２３の内側から表側に説明文や宣伝文句を印刷した紙のカード２５を入れるようにしてある。このような収納ケース２１を硬質の樹脂製とするのは、長期間の使用に耐えかつ内部のＣＤを保護したり、衝撃で破損しないようにするためである。
【０００３】
しかしながら、従来の図２０に示すような硬質のＣＤ収納ケース２１は、相当の厚みがあり、衝撃にも弱く割れやすいという欠点がある。また、販売時や保管時にも相当嵩張るので保管時には比較的大きなスペースを必要とし、郵送するにも不便である。特に往復用として郵送する場合あて先の住所、氏名を記載したシールを貼り替えなければならず不便である。そこで、図２１および図２２に示すような往復便に使用可能なＣＤ収納用封筒が提案されている（特許文献１）。
【０００４】
このＣＤ収納用封筒は、表面シート３１と裏面シート３２とよりなる封筒であって、前記裏面シート３２には折線３３との間にフラップ３４を連設してある。該フラップ３４には、窓部３５を設けた往診用宛名３６が設けられている。また、表面シート３１には前記窓部３５を設けた往診用宛名３６と重なるように返信用宛名３７が設けられている。そして、図２２に示すように、封筒内には二つ折りとした宛名台紙３８の間にＣＤ１０を挟んで入れ、往診時には、フラップ３４の往診用宛名３６を使用し、返信時にはフラップ３４のミシン目３９を破って表面シートの返信用宛名３７を使用する。
【０００５】
また、従来の硬質のＣＤ収納ケースに代わるものとしてＣＤ等の記録媒体を収納する収納ケース１１が提案されている。即ち、この収納ケース１１は、矩形状に形成される第１シート部材１２と、この第１シート部材１２の裏面に接着される第２シート部材１３と、前記第１シート部材１２の表面に接着される第３シート部材１４及び第４シート部材１５と、この第４シート部材１５に接着レレル保護シート部材１６と、この保護シート部材１６に接着される第５シート部材１７と、前記第１シート部材１２に接着される第６シート部際１８とから構成されている（特許文献２）。
【０００６】
【特許文献１】実用新案登録第３１４８４１５号
【特許文献２】特許第３９７５１０６号
【発明の開示】
【発明が解決しようとする課題】
【０００７】
従来のＣＤ（ＤＶＤ）収納用ケースは、硬質のケース空間に一枚収容するのみであり、衝撃に弱く販売時や保管時に比較的スペースを必要とする点が問題である。また、ＣＤ収納用封筒は、宛名台紙を二つ折りとしてＣＤ（ＤＶＤ）を挟んで収納するものでフラップを曲げたり、折ったり、ミシン目から切り離したり等の作業を必要とし、少なくとも３枚のシートが必要で製造時比較的煩雑である。更に、第１シート部材から第６シート部材を必要とするものは、加工作業や組み込み作業が多く、これも製造時比較的煩雑である。また、使用時の開封においても比較的面倒であり、途中で破損することもある。
【０００８】
最近は、ＣＤ（ＤＶＤ）を収納した状態でカードにＣＤの内容の説明や広告を表示して販売し、購入者も一々ＣＤ等を移し替えて保管するのではなく、そのまま（購入した状態のまま）保管する方が便利である。この場合、購入者も一々ＣＤ等を移し替えて保管するのではなく、聞きたいＣＤの内容の説明や広告を表示して保管する方が、聞きたいＣＤを見つけやすく面倒がない。また、ＣＤやＤＶＤのレンタル店では、借りる人は店頭まで出かけなくても自宅からレンタル店へ注文し郵便で借り受け、視聴が済んだら再び郵便で返却する等のリース形態が多くなっている。従って、郵便を介してＣＤ等を貸借し返却するのに適したコンパクトディスク収納用包装容器があれば便利である。
【０００９】
本発明は、上記課題に対処するためになされたものであり、ＣＤ収納容器が簡単な構造であり、しかも薄い包装容器であって少なくとも二枚のＣＤを収納することができ、クッション性を有し往復郵便での貸し借りや交換等が可能なコンパクトディスク収納用包装容器を提供することを目的としている。
【課題を解決するための手段】
【００１０】
上記課題を解決するために、請求項１に記載の発明は、コンパクトディスク収納用包装容器が、二枚の表側シートと裏側シートと、
前記二枚の表側シートのうち内側の表側シート１ｂと裏側シート２ａとの間に配置される薄い柔軟材３と、
前記内側の表側シート１ｂと、裏側シート２ａの間の上部の所定の位置に取り付けたファスナＦと、より成り、
裏側シート２ａは、表側シート１ａおよび表側シート１ｂよりも長く製作され且つ上部近傍には接着剤６が塗布されて剥離シート７が載せてあり、
両端部は、前記二枚の表側シート（１ａ、１ｂ）と裏側シート２ａと不織布３とが製作時の溶断により一体に密着固定され、下端部は、これら二枚の表側シートと裏側シートとが一体にシールして成ることを特徴としている。
【００１１】
また、請求項２に記載の発明は、コンパクトディスク収納用包装容器が、二枚の表側シートと裏側シートと、
前記二枚の表側シートのうち内側の表側シート１ｂと裏側シート２ａとの間に配置される薄い柔軟材３と、
前記内側の表側シート１ｂと、裏側シート２ａとの間の上部の所定の位置に取り付けたファスナＦと、より成り、
前記外側の表側シート１ａには窓１ｃを形成し、裏側シート２ａは表側シート１ａおよび表側シート１ｂよりも長く製作され且つ上部近傍には接着剤６が塗布されて剥離シート７が載せてあり、
両端部は、前記二枚の表側シート（１ａ、１ｂ）と裏側シート２ａと不織布３とが製作時の溶断により一体に密着固定され、下端部は、これら二枚の表側シートと裏側シートとが一体にシールして成ることを特徴としている。
【００１２】
また、請求項３に記載の発明は、コンパクトディスク収納用包装容器が、二枚の裏側シートと表側シートと、
前記二枚の裏側シートのうち、内側の裏側シート２ｂと表側シート１ａとの間に配置される薄い柔軟材３と、
より成り前記外側の裏側シート２ａと内側の裏側シート２ｂとを上下で折り返すとともに前記内側の表側シート１ａと内側の裏側シート２ｂの間の上部の所定の位置にファスナＦを取り付け、
前記外側の裏側シート２ａは内側の裏側シート２ｂおよび表側シート１ａよりも長く製作され且つ下部近傍には接着剤６が塗布されて剥離シート７が載せてあり、
両端部は、前記二枚の裏側シート（２ａ、２ｂ）と表側シート１ａと不織布３とが製作時の溶断により一体に密着固定され、これら二枚の裏側シートと表側シートとの上端部は一体にシールして成ることを特徴としている。
【００１３】
また、請求項４に記載の発明は、前記各請求項におけるコンパクトディスク収納用包装容器が、内側の表側シートと裏側シートとの上部にバインダ用孔を穿設してなることを特徴としている。
【００１４】
更に、請求項５に記載の発明は、コンパクトディスク収納用包装容器が、二枚の表側シートと裏側シートと、
前記内側の表側シート１ｂと裏側シート２ａとの間に配置される薄い柔軟材３と、
前記内側の表側シート１ｂと、裏側シート２ａの間の上部の所定の位置に取り付けたファスナＦと、より成り、
裏側シート２ａは二枚の表側シート１ａおよび表側シート１ｂよりも長く製作され且つ上部近傍には接着剤６が塗布されて剥離シート７が載せてあり、
両端部は、前記二枚の表側シートと裏側シートと不織布とが製作時の溶断により一体に密着固定され、下端部は、これら二枚の表側シートと裏側シートとが一体にシールされ、
開口部１６から９０度横であって、表側シート１ａ、１ｂと裏側シート２ａと薄い柔軟材３の端部から所定の位置（残りの幅にＣＤの直径が入る程度）を熱溶着シールして、成ることを特徴としている。
【００１５】
また、請求項６に記載の発明は、請求項５において、前記横から所定の位置にバインダ用孔を穿設して成ることを特徴としている。
【発明の効果】
【００１６】
ＣＤやＤＶＤを収納してそのまま販売することが出来るし、購入者はそのまま購入した状態で保管することができるので、面倒がない。本発明のコンパクトディスク収納用包装容器は、全体的に厚みが薄く且つ薄い柔軟材（不織布等）のクッション性のある材料を入れて且つ二枚のＣＤやＤＶＤを収納することができるので大きなスペースを必要としない。また、本発明のコンパクトディスク収納用包装容器は、落下させたり、或いは他の物に当たっても衝撃がかからず破損しにくい。特に、第２の実施例においては、送信用のカードと返信用のカードを二枚入れることができるので往復便として使用することができる。レンタル店等においては、店側も利用者側も面倒がなく繰り返し利用しやすい。往復便でなくても簡単に「ゆうメール」を利用して送信することができる。
【００１７】
本発明のコンパクトディスク収納用包装容器は、透明な合成樹脂材を利用して安く製作することができ、利用範囲も広いのでＣＤだけでなく、文房具や簡単な衣類、プレゼント用品等にも応用することができ商品の生産・販売活動を間接的に刺激することができる。
【図面の簡単な説明】
【００１８】
【図１】本発明のコンパクトディスク収納用包装容器の第１の実施例の正面図である。
【図２】本発明のコンパクトディスク収納用包装容器を示す図１のＡ−Ａ矢視断面図である。
【図３】図３（Ａ）は、図２のＰ部拡大図であり、図３（Ｂ）は、図２のＱ部拡大図であり、図３（Ｃ）は、図２のＲ部拡大図である。
【図４】図４（Ａ）は、図１のＢ−Ｂ矢視断面図であり、図４（Ｂ）は、図４（Ａ）のＭ部拡大図である。
【図５】本発明のＣＤ収納用包装容器の第１の実施例にＣＤを収納し密封した状態の正面図である。
【図６】図６（Ａ）は図５のＣ−Ｃ矢視断面図であり、図６（Ｂ）は、図６（Ａ）のＮ部拡大図である。
【図７】本発明のＣＤ収納用包装容器の第２の実施例の正面図である。
【図８】図８（Ａ）は、図７のＤ−Ｄ矢視断面図であり、図８（Ｂ）は図８（Ａ）のＳ部拡大図である。
【図９】本発明のＣＤ収納用包装容器の第２の実施例であって、ＣＤを収納し、切手を貼り、宛名を記載した紙を貼り付けた状態の正面図である。
【図１０】図１０（Ａ）は、図９のＥ−Ｅ矢視断面図であって、本第２の実施例のＣＤ収納用包装容器にＣＤを収納し密封した状態を示す図であり、図１０（Ｂ）は、図１０（Ａ）のＶ部拡大図である。
【図１１】本発明のＣＤ収納用包装容器の第３の実施例の正面図である。
【図１２】図１２（Ａ）は図１１のＦ−Ｆ矢視断面図てあり、図１２（Ｂ）は、図１２のＳ部拡大図であり、図１２（Ｃ）は、図１２（Ａ）のＴ部拡大図である。
【図１３】本発明のＣＤ収納用包装容器の第３の実施例にＣＤを収納し密封した状態の正面図である。
【図１４】図１４（Ａ）は図５のＧ−Ｇ矢視断面図であり、図１４（Ｂ）は、図１４（Ａ）のＵ部拡大図であり、図１４（Ｃ）は図１４（Ａ）のＷ部拡大図である。
【図１５】本発明のＣＤ収納用包装容器の第４の実施例の正面図である。
【図１６】図１６（Ａ）は図１５のＨ−Ｈ矢視断面図てあり、図１６（Ｂ）は、図１６（Ａ）のＸ部拡大図であり、図１６（Ｃ）は、図１６（Ａ）のＹ部拡大図である。
【図１７】図１７（Ａ）は、図１５のＩ−Ｉ矢視断面図であり、図１７（Ｂ）は、図１７（Ａ）のＺ部拡大図である。
【図１８】本発明のＣＤ収納用包装容器の第４の実施例であって、ＣＤを収納し、切手を貼り、宛名を記載した状態の正面図である。
【図１９】図１９（Ａ）は、図１８のＪ−Ｊ矢視断面図であり、図１９（Ｂ）は、図１９（Ａ）のＫ部拡大図であり、図１９（Ｃ）は、図１９（Ａ）のＬ部拡大図である。
【図２０】従来のＣＤ収納用包装容器の全体斜視図である。
【図２１】従来のＣＤ収納用包封筒の正面ずである。
【図２２】図２１に示す従来のＣＤ収納用封筒を構成するフラップを開いた状態の正面図である。
【発明を実施するための最良の形態】
【００１９】
以下、図面を参照して本願発明の具体的な実施の形態を詳述する。
【００２０】
図１は、本発明のコンパクトディスク収納用包装容器（以下、ＣＤ収納用包装容器とするが、ＣＤにはＤＶＤも含まれる）の第１の実施例の正面図である。図２は図１のＡ−Ａ矢視断面図である。図３（Ａ）は、図２のＰ部拡大図であり、図３（Ｂ）は、図２のＱ部拡大図であり、図３（Ｃ）は、図２のＲ部拡大図である。また、図４（Ａ）は、図１のＢ−Ｂ矢視断面図であり、図４（Ｂ）は、図４（Ａ）のＭ部拡大図である。
【００２１】
図１及び図２そして図３（Ａ）、（Ｂ）、（Ｃ）に示すように、本発明のＣＤ収納用容器は、裏側シート２ａと、表側に二枚を重ねた外側の表側シート１ａと、内側の表側シート１ｂと、裏側シート２ａと、前記内側の表側シート１ｂと裏側シート２ａとの間に配置される薄い柔軟材（例えば不織布シート）３（以下、不織布３とする）と、で構成される。前記内側の表側シート１ｂと、裏側シート２ａの間の上端部の適当な位置には、ファスナＦが取り付けてあるが、該ファスナＦは、一方には凸条部ｆ１設けた雄型ファスナＦ１と、他方には該凸条部ｆ１を嵌合する凹条部ｆ２を設けた雌型フエスナＦ２とから成る。そして、該ファスナＦにより前記不織布３を配置した内側の表側シート１ｂと、裏側シート２ａの間の空間４を密封したり、開放することができるようにしてある。なお、二枚の表側シート１ａと、１ｂＢと、裏側シート２ａと不織布３の合わさった下端部は、熱溶着してある。また、裏側シート２ａと内側の表側シート１ｂにはバインダに綴じるときの孔９、９が穿設してあるが、この孔９は設けても設けなくても良い。以下の第２の実施例と第３の実施例でも同様である。
【００２２】
尚、上記および下記において「表側」と「裏側」という表現は便宜的な表現であり、一方を「表側」、他方を「裏側」というに過ぎず、逆であっても良い。
【００２３】
次に、図４に示すように、二枚の表側シート１ａと、１ｂと、裏側シート２ａと不織布３の合わさった両端部５ａ、５ａは、製作時の溶断により一体に密着固定された状態となる。そして図３（Ｃ）及び図４（Ｂ）に示すように、本発明のＣＤ収納用包装容器は、不織布３の前後にＣＤを収納する空間４、４が形成される。また、外側の表側シート１ａと、内側の表側シート１ｂとの間の空間８には、ＣＤに関する情報（音楽の題名や歌手名・作曲家名、映画の題名や出演者等、広告）の説明用のカード１２（図６（Ｂ）参照）を収納することができる。また、図１と図２および図３（Ａ）に示すように、本発明のＣＤ収納用容器は、裏側シート２ａが表側シート１ａおよび表側の内側シート１ｂよりも長く製作され、上部近傍には接着剤６が塗布され、剥離シート７が載せてある。
【００２４】
図５は、本発明のＣＤ収納用包装容器の第１の実施例にＣＤ１０を収納し密封した状態の正面図であり、図６（Ａ）は図５のＣ−Ｃ矢視断面図であり、図６（Ｂ）は、図６（Ａ）のＮ部拡大図である。
これらの図に示すように、本発明のＣＤ収納用包装容器は、ＣＤ１０を、不織布３の前後の空間４、４に収納した後、ファスナＦの雄型ファスナＦ１と雌型フエスナＦ２とを嵌合し内部を密封する。そして、剥離シート７を剥がし、折れ線２ｄで折り曲げて、接着剤６を外側の表側シート１ａの上部に接着する。こうして本発明のＣＤ収納用包装容器によれば、このままの状態で販売したり、購入したＣＤをそのまま購入した状態で保管することができる。しかも嵩張らないのでスペースも小さくできる。
なお、図６（Ａ）に示すように、表側シート１ａに切手を貼り住所を記載した紙１１を貼れば郵便でＣＤを送付することができる。勿論、裏面には「ゆうメール」のシールと適当な位置に送信者の住所を記載したシールを貼る。
【００２５】
図７は、本発明のＣＤ収納用包装容器の第２の実施例の正面図である。本実施例は、第１の実施例と同様に、裏側シート２ａと、表側に二枚を重ねた外側の表側シート１ａと、内側の表側シート１ｂと、裏側用シート２ａと、前記内側の表側シート１ｂと裏側用シート２ａとの間に配置される不織布シート３と、で構成される。また、ファスナＦも設けられる。この場合、これらのシートの構成は図２および図３と同様である。図８（Ａ）は、図７のＤ−Ｄ矢視断面図であり、図８（Ｂ）は図８（Ａ）のＳ部拡大図である。これらの図に示すように、この第２の実施例は、表側に二枚を重ねた外側の表側シート１ａと、内側の表側シート１ｂのうち、外側の表側シート１ａには所定の広さの窓１ｃが開設してある点が第１の実施例と異なる。
【００２６】
図９は、本発明のＣＤ収納用包装容器の第２の実施例であって、ＣＤ１０を収納し、切手を貼り、宛名を記載した紙１２を貼り付けた状態の正面図である。前記外側の表側シート１ａと前記内側の表側シート１ｂのの空間８には、送信用の切手を貼り、送信先の宛名が印刷或いは記載されるようなカードと、返信用の切手と返信先の宛名が印刷或いは記載されるようなカードとの二枚のカード（返信用の切手とカードは図示省略）を入れておくだけで、ＣＤの送信用と返信用の往復便として利用することができる。特に、ＣＤやＤＶＤのレンタル用として便利である。この場合、販売や購入だけなら窓１ｃは不要であるが、窓１ｃを設けるのは郵便等に使用する場合は、切手に郵便局の受付印を押すことができないからである。尚、送信用だけなら空間８には送信用のカードをいれるだけで良い。
【００２７】
図１０（Ａ）は、図９のＥ−Ｅ矢視断面図であって、本第２の実施例のＣＤ収納用包装容器にＣＤを収納し密封した状態を示す図であり、図１０（Ｂ）は、図１０（Ａ）のＶ部拡大図である。内側の表側シート１ｂと裏側シート２ａとの間には不織布３が配置され両側にできる二つの空間４、４にそれぞれＣＤを二枚収納する。図１０では１枚のＣＤが収納されている。次に、ファスナＦを閉じて、裏側シート２ａの上部の剥離シート７（図３（Ａ）参照）を剥がし該裏側シート２ａの上部を折れ線で折り曲げて、外側の表側シート１ａの上部に接着材６を接着するが、この接着の前に、外側の表側シート１ａと内側の表側シート１ｂとの間に送信用の切手を貼り宛名を記載した紙１１を入れてから接着しても良い。
【００２８】
図１１は、本発明のＣＤ収納用包装容器の第３の実施例の正面図であり、図１２（Ａ）は図１１のＦ−Ｆ矢視断面図てあり、図１２（Ｂ）は、図１２のＳ部拡大図であり、図１２（Ｃ）は、図１２（Ａ）のＴ部拡大図である。
本第３の実施例は、外側の裏側シート２ａと、内側の裏側シート２ｂと、表側シート１ａと、前記内側の裏側シート２ｂと表側用シート１ａとの間に配置される不織布シート３と、で構成される。また、ファスナＦも設けられる。この場合、前記外側の裏側シート２ａは他の二つの内側の裏側シート２ｂ及び表側シート１ａより長く形成する。即ち、外側の裏側シート２ａを曲げて表側シート１ａに接着したとき十分余裕のある程度に長く形成する。尚、前記二つの内側の裏側シート２ｂ及び表側シート１ａは同程度の長さである。そして、前記外側の裏側シート２ａの下部近傍には接着剤６が塗布され、該接着剤６の上には剥離シート７が載せてある。尚、不織布３を配置した前後の空間４、４にはＣＤを収納する。また、外側の裏側シート２ａと内側の裏側シート２ｂとの間の空間８にはＣＤに関する情報を記載したカードを収納することができる。
【００２９】
尚、本第３の実施例は図１２から判るように、外側の裏側シート２ａと内側の裏側シート２ｂと表側シート１ａとは、１枚の原反シートをＳ字状に形成したもので比較的単純に製作することが可能である。
【００３０】
図１３は、本発明のＣＤ収納用包装容器の第３の実施例にＣＤ１０を収納し密封した状態の正面図であり、図１４（Ａ）は図５のＧ−Ｇ矢視断面図であり、図１４（Ｂ）は、図１４（Ａ）のＵ部拡大図であり、図１４（Ｃ）は図１４（Ａ）のＷ部拡大図である。
この第３の実施例では、先ず内側の裏側シート２ｂと表側シート１ａとの間の空間４に不織布３を配置する。そしてファスナＦを閉じる。次に、外側の裏側シート２ａの下端部の剥離シート７を剥ぎ取り、該外側の裏側シート２ａの下部を曲げて表側シート１ａの下部に接着する。尚、外側の裏側シート２ａと内側の裏側シート２ｂとの間に形成される空間８にはＣＤ等に関する情報（（音楽の題名や歌手名・作曲家名、映画の題名や出演者等、広告）を記載したカードを収容することができる。
【００３１】
図１５は、本発明のＣＤ収納用包装容器の第４の実施例の正面図であり、図１６（Ａ）は図１５のＨ−Ｈ矢視断面図てあり、図１６（Ｂ）は、図１６（Ａ）のＸ部拡大図であり、図１６（Ｃ）は、図１６（Ａ）のＹ部拡大図である。
本第４の実施例では、これらの図に示すように、本発明のＣＤ収納用容器は、裏側シート２ａと、表側に二枚を重ねた外側の表側シート１ａ及び内側の表側シート１ｂと、裏側シート２ａと、前記内側の表側シート１ｂとの間の空間４に配置される不織布シート３と、で構成される点は第１の実施例と同様である。この場合、前記内側の表側シート１ｂと、裏側シート２ａの間の上端部の適当な位置には、ファスナＦが取り付けてある。そして、該ファスナＦにより前記不織布３を配置した内側の表側シート１ｂと、裏側シート２ａの間の空間４を密封したり、開放することができるようにしてある。なお、二枚の表側シート１ａ及び表側シート１ｂと、裏側シート２ａと不織布３の合わさった横端部５ａ、５ａは、熱溶着してある。また、下端部は外側の表側シート１ａと内側の表側シート１ｂと裏側シート２ａとは一体となるようにシールされている。尚、図１５の１ｅはミシン目であり手で破断することができるようにしてある。また、線１ｄは折目の線である。
【００３２】
次に、図１７（Ａ）は、図１５のＩ−Ｉ矢視断面図であり、図１７（Ｂ）は、図１７（Ａ）のＺ部拡大図である。本第４の実施例では、内側の表側シート１ｂと裏側シート２ａとの間には不織布３が配置されるが、外側の表側シート１ａと内側の表側シート１ｂとの間は空間８となり、ＣＤに関する種々の情報を記載したカード（図示省略）が収納される。そして図１５及び図１７に示すように、入口１６から９０度横端部から所定の位置（残りの幅にＣＤの直径が入る程度）を熱溶着シール１３が設けてある。そして、この横端部から所定の位置にバインダ用孔１４、１４を穿設する。
【００３３】
図１８は、本発明のＣＤ収納用包装容器の第４の実施例であって、ＣＤを収納し、切手を貼り、宛名を記載した状態の正面図である。図１９（Ａ）は、図１８のＪ−Ｊ矢視断面図であり、図１９（Ｂ）は、図１９（Ａ）のＫ部拡大図であり、図１９（Ｃ）は、図１９（Ａ）のＬ部拡大図である。本第４の実施例は次のようにして組み立てる。
先ず、ファスナＦを開け、内側の表側シート１ｂと裏側シート２ａとの間に入れた不織布３の前後（片側でも良い）にＣＤ１０を入れ、ファスナＦを閉じる。次に、裏側シート２ａの上部の接着剤６に被せてある剥離シート７を取り、該裏側シート２ａの折れ線１ｄを折り外側の表側シート１ａの上部に接着する。この場合、外側の表側シート１ａと内側の表側シート１ｂとの間の空間８にＣＤに関する情報を記載したカード（図示省略）を入れておく。この状態でＣＤ１０を収納した状態で販売することができ、また購入者はそのまま保管しておくことが出来る。尚、郵便で送る場合は外側の表側シート１ａに宛名を記載したシートと切手を貼り、投函すれば良い。
【００３４】
図１８に示すように、本発明の第４の実施例のＣＤ収納用包装容器は、横に設けた孔１４，１４でバインダに閉じ、上方向入口１６からＣＤを出し入れすることが可能である。上記した３つの実施例ではＣＤを出し入れする方向にバインダに閉じる孔１４，１４を設けるため、ＣＤを出し入れするためにはこのＣＤ収納用包装容器をバインダから一旦外さなければならない。しかし、この第４の実施例によれば、バインダで閉じた状態のままＣＤを出し入れすることが可能であるから大変便利である。
【００３５】
尚、上記各実施例において、不織布３を配置する空間４の前後には、ＣＤを二枚収納することができるが、一方の空間４にはＣＤを収納し、た方の空間４にはＣＤに関する情報を記載したカードを収納するようにしても良い。また、実施例では薄い柔軟材として不織布を例に挙げて説明したが、不織布に限らず柔らかく且つ薄い布地や和紙のような材料をクッション材として用いても良い。
【符号の説明】
【００３６】
１ａ  外側の表側シート
１ｂ  内側の表側シート
１ｃ  窓
２ａ  外側の裏側シート
２ｂ  内側の裏側シート
３    薄い柔軟材（不織布）
４    内側の表側シートと、裏側シートの間の空間
５ａ  両端部
６    接着剤
７    剥離シート
８    外側の表側シートと、内側の表側シートとの間の空間
９    バインダ用孔
１０  ＣＤ（コンパクトディスク）
１１  切手や住所を記載する紙（カード）
１２  カード
１３  熱溶着シール
１４  バインダ用孔
Ｆ    ファスナ
【図１】
2010269825.tif 000003
【図２】
2010269825.tif 000004
【図３】
2010269825.tif 000005
【図４】
2010269825.tif 000006
【図５】
2010269825.tif 000007
【図６】
2010269825.tif 000008
【図７】
2010269825.tif 000009
【図８】
2010269825.tif 000010
【図９】
2010269825.tif 000011
【図１０】
2010269825.tif 000012
【図１１】
2010269825.tif 000013
【図１２】
2010269825.tif 000014
【図１３】
2010269825.tif 000015
【図１４】
2010269825.tif 000016
【図１５】
2010269825.tif 000017
【図１６】
2010269825.tif 000018
【図１７】
2010269825.tif 000019
【図１８】
2010269825.tif 000020
【図１９】
2010269825.tif 000021
【図２０】
2010269825.tif 000022
【図２１】
2010269825.tif 000023
【図２２】
2010269825.tif 000024